(57)【特許請求の範囲】
【請求項１】
人が出入り可能な第１ハウジングと、
この第１ハウジング内に負圧を生じさせる負圧発生装置と、
この負圧発生装置の作用により第１ハウジング内の空気を吸引する空気吸引部と、
前記第１ハウジングの少なくとも一部に形成され、前記負圧発生装置の作動により第１ハウジング内に負圧が作用することに基づき、第１ハウジング外から第１ハウジング内へ一定の空気の通過を許容して第１ハウジング内の負圧状態を所定の範囲に維持する通気部と、
前記負圧発生装置に設けられ、前記第１ハウジングの空気吸引部から吸引した空気を排出する排出部と
その排出部と連通する空気取入部を有し、前記第１ハウジング内を通過した空気が供給される、植物を収容して栽培する第２ハウジングとを含み、
前記空気吸引部から空気を吸引して負圧状態が保たれる第１ハウジング内に入った人の体の新陳代謝を促進するとともに、その第１ハウジング内を通過した空気が供給される第２ハウジング内に収容した植物の成長を促進する機能を兼ね備えたことを特徴とする健康増進装置。
【請求項２】
前記第２ハウジングに設けられ、その第２ハウジング内が一定圧以上に達したときに、その第２ハウジング内を通過した空気を第２ハウジング外に逃がす逃がし部を備える請求項１に記載の健康増進装置。
【請求項３】
前記第２ハウジングに設けられ、その第２ハウジング内の空気を排出する第２ハウジング排出部と、
前記第１ハウジングに設けられ、前記第２ハウジング排出部と連通する第１ハウジング空気取入部とを備え、
前記第２ハウジング内を通過した空気が前記第１ハウジング内に取入れられ、前記第１ハウジングと第２ハウジングとの間に空気の循環路が形成される請求項１または２に記載の健康増進装置。
【請求項４】
前記第２ハウジング排出部と第１ハウジング空気取入部との間には、前記第２ハウジング内の空気を吸引し、前記第１ハウジング内に送出するファン装置を備える請求項２または３に記載の健康増進装置。
【請求項５】
骨格部と、それに被せられた、空気の通過を一定の抵抗を生じつつ許容する通気性を有するシートとを有する第１テントと、
この第１テントのシートに形成された人の出入り口と、
前記第１テントに形成された空気吸引部と、
この空気吸引部から第１テント内の空気を吸引することにより第１テント内を負圧にするとともに、その負圧により前記通気性のあるシートを通じて第１テント外から第１テント内へ空気を吸引して、第１テント内を所定範囲の負圧状態に維持する負圧発生装置と、
この負圧発生装置に設けられ、前記第１テント内の空気吸引部から吸引した空気を排出する排出部と、
第２の骨格部と、それに被せられた第２のシートと、その第２のシートに形成され前記排出部と連通する空気取入部とを有し、前記第１テント内を通過した空気が供給される、植物を収容して栽培する第２テントとを含み、
前記空気吸引部から空気を吸引して負圧状態が保たれる第１テント内に入った人の体の新陳代謝を促進するとともに、その第１テント内を通過した空気が供給される第２テント内に収容した植物の成長を促進する機能を兼ね備えたことを特徴とする健康増進装置。
【発明の詳細な説明】
【技術分野】
【０００１】
本発明は、人体の例えば老廃物の排出を促進し、新陳代謝を高める健康増進装置に関し、特に植物の成長を促進する機能を兼ね備えた健康増進装置に関する。
【背景技術】
【０００２】
従来、健康増進器具として、直流負電圧を発生する装身用具を四肢、腰等に装着した状態で、その使用者に負電圧を印加して、体調の改善を図るものが提案されている（特許文献１）。また別のものとして、ほぼ水平な横棒と、その横棒を床面から所定の高さに支える左右の支柱と、それら支柱間に設置された腰マットとを備え、利用者が腰マットに腰を当てて背骨を矯正するとともに、両手で横棒を握って上体を上下動することにより、中高年あるいはリハビリ中の体力を付け、健康の増進や体力の回復に役立てる健康増進器具も提案されている（特許文献２）。
【０００３】
【特許文献１】特開２００２−１１３１１４号公報
【特許文献２】特開２００２−０５２０９２号公報
【発明の開示】
【発明が解決しようとする課題】
【０００４】
特許文献１では、直流負電圧を人体の一部に直接作用させるものであるが、電圧を感じることに抵抗のある利用者にとっては、簡単に利用できない欠点がある。  また、特許文献２では、利用者が上体を上下動させて背骨や四肢等の強化をするものであるが、運動用具の延長上のものであって、一定の運動量をこなすのが容易でない。
【０００５】
本発明は上記した背景をもとになされたもので、利用者に電圧をかけたり、運動を強制したりすることなく、人体の新陳代謝を高めて健康増進に寄与し得るとともに、植物の成長を促進する機能を兼ね備える健康増進装置を提供することを課題とする。
【課題を解決するための手段及び発明の効果】
【０００６】
上記課題を解決するために本発明の健康増進装置は、人が出入り可能な第１ハウジングと、
この第１ハウジング内に負圧を生じさせる負圧発生装置と、
この負圧発生装置の作用により第１ハウジング内の空気を吸引する空気吸引部と、
第１ハウジングの少なくとも一部に形成され、負圧発生装置の作動により第１ハウジング内に負圧が作用することに基づき、第１ハウジング外から第１ハウジング内へ一定の空気の通過を許容して第１ハウジング内の負圧状態を所定の範囲に維持する通気部と、
負圧発生装置に設けられ、第１ハウジングの空気吸引部から吸引した空気を排出する排出部と
その排出部と連通する空気取入部を有し、第１ハウジング内を通過した空気が供給される、植物を収容して栽培する第２ハウジングとを含み、
空気吸引部から空気を吸引して負圧状態が保たれる第１ハウジング内に入った人の体の新陳代謝を促進するとともに、その第１ハウジング内を通過した空気が供給される第２ハウジング内に収容した植物の成長を促進する機能を兼ね備えたことを特徴とする。
【０００７】
このように第１ハウジング内の気圧が周りより低く維持されるように、負圧吸引して、その第１ハウジング内に形成される負圧室で人体をその負圧雰囲気に所定時間保持することにより、その人体の例えば炭酸ガス、新陳代謝による代謝老廃物等が負圧吸引の雰囲気により体外に排出されやすくなり、また体表面からも気化しやすくなる。このような老廃物の排出が促進されることで、酸素、その他の新しいものが体内へ吸収されやすくなり、新陳代謝が促進されて健康増進に寄与できる。一方、第１ハウジングを通過し人体から排出される、例えば炭酸ガスや水蒸気などを含む空気が第２ハウジング内に供給されることにより、第２ハウジング内に収容された植物の光合成が活発になり、植物の成長が促進される効果を奏する。
【０００８】
その際、第２ハウジングに設けられ、その第２ハウジング内が一定圧以上に達したときに、その第２ハウジング内を通過した空気を第２ハウジング外に逃がす逃がし部を備えるようにできる。このように第２ハウジング内が一定圧以上に達したときに、その第２ハウジング内を通過した空気を外に逃がす逃がし部を備えることにより、第２ハウジングを通過し植物の光合成により放出される、例えば酸素を含む空気などが第２ハウジングの外に排出され、例えば第２ハウジングの置かれた部屋に酸素の濃度が高められた空気が排出され、そこにいる人の新陳代謝を促進し健康増進に寄与することが可能である。
【０００９】
また、その際、第２ハウジングに、その第２ハウジング内の空気を排出する第２ハウジング排出部を備えることができる。また、第１ハウジングに、第２ハウジング排出部と連通する第１ハウジング空気取入部を備えることができる。そして、第２ハウジング内を通過した空気が第１ハウジング内に取入れられ、第１ハウジングと第２ハウジングとの間に空気の循環路を形成するようにできる。このように第２ハウジングを通過し、太陽光または植物の育成に最適な人工光による光合成により放出される、例えば酸素を含む空気や植物の揮発成分が第１ハウジング内に供給されることにより、すなわち酸素の濃度が高められた空気が第１ハウジング内に供給され、森林浴の状態を作り出し、さらに人体の新陳代謝が促進され健康増進効果を高められる。
【００１０】
さらに、その際、第２ハウジング排出部と第１ハウジング空気取入部との間には、第２ハウジング内の空気を吸引し、第１ハウジング内に送出するファン装置を備えるようにできる。このように第２ハウジング排出部と第１ハウジング空気取入部との間にファン装置を備えることにより、第１ハウジングと第２ハウジングとの間の空気の循環が円滑な循環路を形成できる。
【００１１】
またこの発明のより具体的な構成は、骨格部と、それに被せられた、空気の通過を一定の抵抗を生じつつ許容する通気性を有するシートとを有する第１テントと、
この第１テントのシートに形成された人の出入り口と、
第１テントに形成された空気吸引部と、
この空気吸引部から第１テント内の空気を吸引することにより第１テント内を負圧にするとともに、その負圧により通気性のあるシートを通じて第１テント外から第１テント内へ空気を吸引して、第１テント内を所定範囲の負圧状態に維持する負圧発生装置と、
この負圧発生装置に設けられ、第１テント内の空気吸引部から吸引した空気を排出する排出部と、
第２の骨格部と、それに被せられた第２のシートと、その第２のシートに形成され排出部と連通する空気取入部とを有し、第１テント内を通過した空気が供給される、植物を収容して栽培する第２テントとを含み、
空気吸引部から空気を吸引して負圧状態が保たれる第１テント内に入った人の体の新陳代謝を促進するとともに、その第１テント内を通過した空気が供給される第２テント内に収容した植物の成長を促進する機能を兼ね備えたことを特徴とする。
【００１２】
上記第１テントは第１ハウジングの一態様であり、その第１テントのシートが一定の通気性、つまり空気吸引部の吸引作用に基づき、第１テントのシートを介して第１テント外から第１テント内へ空気を吸引しつつ、第１テント内を所定範囲の負圧状態に保つことにより、第１テント内で人体に過度の負圧状態を与えることなく、上述のように新陳代謝を促進することができる。また、第２テントは第２ハウジングの一態様であり、第２のシートに形成され、排出部と連通する空気取入部とを有し、第１テント内を通過した空気が第２テントに供給されることにより、内部に収容された植物の成長を促進することができる。これら第１及び第２ハウジングがテント形態であるから、軽量で場所も余りとらず、移動も容易であり、また分解・収納等も可能となって、保管や流通にも便利である。
【発明の実施の形態】
【００１３】
以下、本発明の実施の形態を図面に示す実施例を参照しつつ説明する。図１は本発明の健康増進装置を概念的に示す断面図である。健康増進装置１００は、内部に負圧室を形成するとともに、人が出入り可能な第１ハウジング１と、この第１ハウジング１内に負圧を生じさせる負圧発生装置２と、その第１ハウジング１内の上部に形成されて、負圧発生装置２の作用により該第１ハウジング１内の空気を吸引する空気吸引部３と、第１ハウジング１に形成され、負圧発生装置２の作動により第１ハウジング１内に負圧が作用することに基づき、第１ハウジング１外から第１ハウジング１内へ一定の空気の通過を許容して第１ハウジング１内の負圧状態を所定の範囲に維持する通気部４と、負圧発生装置２に設けられ、第１ハウジング１の通気部４から吸引した空気を排出する排出口１５と、排出口１５から排出される空気が供給される、栽培のための植物が収容可能な第２ハウジング２１とを含んでいる。
【００１４】
そして、この装置の上記第１ハウジング１内に人５が入り、第１ハウジング１の上部の空気吸引部３から空気を吸引することにより、第１ハウジング１を負圧状態にするとともに通気部４から一定の空気を第１ハウジング１外から第１ハウジング１内へ吸引して所定範囲の負圧状態が保たれるなかで、第１ハウジング１内の人体５の新陳代謝を促進するものである。
【００１５】
上記第１ハウジング１の内部は、底部から上部に向かって水平断面積が小さくなる形態で形成され、空気吸引部３は水平断面積が小さくなる上部に形成されて、第１ハウジング１内の底部から上部に向かう上昇気流が生じるようにされ、その上昇気流に触れるように第１ハウジング１内に人５が収容される。
【００１６】
そして、第２ハウジング２１の上部には、負圧発生装置２の排出口１５とフレキシブルなホース２２を介し連通する空気取入部２３が形成されている。第２ハウジング２１内には、栽培容器２４の土２５の中に植えられた植物２６（例えば花、野菜など）が収容されている。
【００１７】
第２ハウジング２１の下部側部には、第２ハウジング内の空気を排出する排出部２７（第２ハウジング排出部）を形成している。一方、第１ハウジング１の下部側部には、第２ハウジング２１からの空気を取入れる空気取入部１８（第１ハウジング空気取入部）を形成している。排出部２７と空気取入部１８との間には、第２ハウジング２１内の空気を吸引し、第１ハウジング１に送出するファン装置２８が設けられている。ファン装置２８と排出部２７とは、フレキシブルなホース２９で接続され、またファン装置２８と空気取入部１８とは、同じくフレキシブルなホース３０で接続されている。このように第１ハウジング１と第２ハウジング２１との間には空気の循環路１９が形成される。
【００１８】
この例で第１ハウジング１はテントで形成され、この第１テント１は骨組みを構成する骨格部６（図６参照）を備える。この例の骨格部６は、底部の枠、この例では四角い底部枠を形成する底部骨部６ａ、６ｂ、６ｃ及び６ｄと、その底部枠から上方の空気吸引部３に向かって延びる複数本の側部骨部、この例では四角い底部枠の４つの角部から四角錐状にかつ外側に膨らむように円弧状に湾曲した４本の側部骨部６ｅ、６ｆ、６ｇ及び６ｈとを備え、それら側部骨部の上部が上記空気吸引部３の基材３ａに接続されている。そして、底部骨部のうちの１辺、この例では底部骨部６ｂと空気吸引部３の基材３ａとの間に、空気取入部１８に向けて掛け渡された連結骨部６ｉ、６ｊを備え、それら連結骨部６ｉ、６ｊが空気取入部１８の基材１８ａと接続されている。上記骨部６ａ〜６ｊの各端部は互いに一体的に連結され、上述のような角錐状（円錐状又は円錐台状、若しくはこれらを外側に膨らませるように湾曲させたものでもよい）、特にこの例では外側に膨らんだ四角錐状の骨格部６が形成されている。
【００１９】
さらに第１テント１は、骨格部６に形成されたシート７を備え、シート７は空気の通過を一定の抵抗を生じつつ許容する通気性を有するもので、内部に負圧室８を形成する。第１テント１のシート７には、人の出入り口９（図２）が形成され、その第１テント１の頂部に上記空気吸引部３が位置する形態となっている。
【００２０】
人の出入り口９は、図２、図３に示すように、第１テント１のシート７の一部が本体から分離されて開閉可能に形成されたものである。つまり図３に示すように、シート７の一部に人の出入り可能な開口９ａが形成され、これを開閉可能に塞ぐように設けられたカバーシート９ｂにより、人の出入り口９が形成される。この例で開口９ａは、四角錐状の形態の一つの側面に形成され、シートカバー９ｂは上端がシートの本体部に接合され、下側から跳ね上げるように開くことができる。この形態は一例に過ぎず、シートカバー９ｂが横へ開く方式のものでも、下端を接合部として下側へ開くものなど、適宜の形態を採用できる。
【００２１】
図３に示すように、開口９ａを塞ぐカバーシート９ｂは、開口９ａより一回り大きく形成されたもので、外縁部が開口９ａ周辺のシート部に重なり、気密が保ちやすくされている。なお、開口９ａの周縁部に沿ってシール部をシート７に設けることもできる。例えば、その開口９ａ周辺のシート部分に、ゴム状の弾性部材を線又は帯状に固着し、シート７内が負圧状態になると、カバーシート９ｂがそのシール部に密着して、開口９ａから第１テント１内に空気が流入することを防止ないしは抑制するようにできる。
【００２２】
図１に戻って、空気吸引部３から第１テント１内の空気が吸引されるが、その空気吸引部３は、図６に示すように、第１テント１の骨格部６及び第１テント１の上端と結合する基材３ａと、その基材３ａに形成された開口３ｂとを備えている。基材３ａはブロック状の部材で、その開口３ｂには吸引管としてのフレキシブルなホース１０が結合され、このホース１０の他端部が、図１に示す負圧発生装置２に接続されている。また、空気取入部１８は、基材１８ａと、その基材１８ａに形成された開口１８ｂとを備えている。基材１８ａはブロック状の部材で、その開口１８ｂには、図１に示すファン装置２８と繋ぐホース３０が結合されている。
【００２３】
負圧発生装置２は、ホース１０が接続されたケーシング１１と、その内部に設けられた吸引ファン１２と、このファン１２を回転駆動する吸引モータ１３と、そのモータ１３の回転速度を調節しひいては負圧の程度を調節する調節操作部１４とを備えたものであり、そのモータ１３により吸引ファン１２が回転することによって、ホース１０を経てテント１内の空気が吸引されるようになっている。なお、負圧発生装置２が、第１テント１の上方に配置される場合、図１に示すように、これを支持する支柱付きの支持部材１７を設けることができる。
【００２４】
また、この例では第２ハウジング２１はテントで形成され、この第２テント２１は骨組みを構成する骨格部３２（図７参照）を備える。この例の骨格部３２は、底部枠、この例では四角い底部枠を形成する底部骨部３２ａ、３２ｂ、３２ｃ及び３２ｄと、その底部枠の４つの角部から上方に延びる側部枠、この例では四角柱状の側部枠を形成する側部骨部３２ｅ、３２ｆ、３２ｇおよび３２ｈと、その側部枠の上端に連設された天部枠、この例では天部骨部３２ｉ、３２ｊ、３２ｋ及び３２ｌとを備えている。そして、この天部骨部のうちの相対向する２辺、この例では天部骨部３２ｊと３２ｌとの間に、空気取入部２３に向けて掛け渡された連結骨部３２ｍ、３２ｎと、天部骨部のうちの１辺及びその辺に相対向する底部骨部のうちの１辺、この例では天部骨部３２ｌと底部骨部３２ｄとの間に、排出部２７に向けて掛け渡された連結骨部３２ｏ、３２ｐとを備え、連結骨部３２ｍ、３２ｎが空気取入部２３の基材２３ａに接続されるとともに、連結骨部３２ｏ、３２ｐが排出部２７の基材２７ａに接続されている。上記骨部３２ａ〜３２ｐの各は互いに一体的に連結され、四角柱状の骨格部３２が形成されている。
【００２５】
図１及び図４に示すように、第２テント２１は、骨格部３２（図７）に被せられ、天部及び側部を被うシート３３を備える。この例のシート３３は、透光性を有するもので、内部に植物２６が植えられた栽培容器２４を収容する収容室３４を形成する。そして、第２テント２１のシート３３には、栽培容器２４の出し入れ部３５が形成されている。その出し入れ部３５は、第２テント２１のシート３３の一部が本体から分離されて開閉可能に形成されたものである。図４に示すように、シート３３の一部に栽培容器２４の出し入れ可能な四角形状の開口３５ａが形成され、これを開閉可能に塞ぐように設けられたカバーシート３５ｂにより、出し入れ部３５が形成される。この例では開口３５ａは、四角柱状の形態の一側面に形成され、シートカバー３５ｂは一側端がシートの本体部に接合され、他側端から左右に開くことができる。なお、このような開閉構造は、ファスナー式の噛み合い構造で開閉できるものが採用できる。
【００２６】
図１及び図７に示すように、空気取入部２３は、第２テント２１の骨格部３２とシート３３と結合する基材２３ａと、その基材２３ａに形成された開口２３ｂとを備えている。基材２３ａはブロック状の部材で、その開口２３ｂには、負圧発生装置２の排出口１５と繋ぐホース２２が結合されている。また、第２テント２１の排出部２７は、基材２７ａと、その基材２７ａに形成された開口２７ｂとを備えている。基材２７ａはブロック状の部材で、その開口２７ｂには、ファン装置２８と繋ぐホース２９が結合されている。
【００２７】
さらに、第２テント２１の下部には、その第２テント２１内が一定圧以上に達したときに、第２テント２１内を通過した空気を第２テント２１の外に逃がす逃がし部３６が備えられている。すなわちシート３３の裾部３３ａは、骨格部３２の底部枠より四方外方に張出した状態で第２テント２１の設置面３７と接触している。そして、第２テント２１内が一定圧以上に達したときに、柔軟性のあるシート３３の裾部３３ａが押し上げられて、その裾部３３ａと設置面３７との間に隙間３６ａができ、その隙間３６ａから収容室３４の空気が第２テント２１の外に流出する状態となる（図５参照）。
【００２８】
そして、ファン装置２８は、内部に設けられた吸引ファン３８と、このファン３８を回転駆動する吸引モータ３９と、このモータ３９の回転速度を調節する調節操作部４０とを備えたものであり、モータ３９により吸引ファン３８が回転することにより、第２テント２１内の空気を吸引して第１テント１に送出する。なお、第１テント１内の負圧の程度にあわせて、調節操作部４０によりモータ３９の回転速度が調節される。
【００２９】
次に、以上のように構成された健康増進装置１００の使用方法を説明する。まず、第１ハウジングを構成する第１テント１内に、出入り口９（図２）を開けて人５が入る。そして、負圧発生装置２の吸引モータ１３の作動により、吸引ファン１２を回転させて、ホース１０を介して第１テント１内の空気を吸引する。
【００３０】
それにより第１テント１内が負圧になり、負圧室が形成される。かつ、その負圧により、通気性のあるシート７を通じて第１テント１の外から中へ空気が吸引され、第１テント１内に一定の空気が補填されて、第１テント１内が所定範囲の負圧状態に維持される。このような所定範囲の負圧状態に保たれる雰囲気に人５が座る等して所定の時間、例えば３０分〜１時間程度の適宜の時間中収容されることにより、人体の新陳代謝を促進して、老廃物を排出する。具体的には、人体５の例えば炭酸ガス、新陳代謝による代謝老廃物等が負圧吸引の雰囲気により吸引されて体外に排出されやすくなり、また体表面からも気化しやすくなる。このような老廃物の排出が促進されることで、代わって酸素、その他の新しいものが体内へ吸収されやすくなり、新陳代謝が促進されて健康増進に寄与できる。
【００３１】
そして、負圧発生装置２の吸引モータ１３の作動により、排出口１５からホース２２を介して、第１テント１を通過した空気を第２テント２１内に送り込む。第１テント１を通過し人体から排出される炭酸ガスや水蒸気などを含む空気が第２テント２１内に供給されることにより、第２テント２１内に収容された植物の光合成が活発になり、植物の成長が促進される。第２テント２１の上部に空気取入部２３が形成され、第１テント１からの空気が上部から下部へ向かい植物の葉によくあたり植物の成長がより促進される。
【００３２】
そして、第２テント２１内が一定圧以上に達したときに、その第２テント２１内を通過した空気（第２テント２１内において植物の光合成により放出される酸素を含む空気）が逃がし部３６から第２テント２１の外に排出され、酸素の濃度が高められたその空気により、第２テント２１の置かれた部屋などにいる人の新陳代謝を促進し健康増進に寄与することができる。
【００３３】
第２テント２１内を通過した空気は、吸引ファン２８の作動により、第１テント１に送出される。第１テント１と第２テント２１との間に空気の循環路１９が形成されることにより、第２テント２１を通過し、太陽光または植物の育成に最適な人工光による光合成により放出される酸素を含む空気や植物の揮発成分が第１テント１に供給され、すなわち酸素の濃度が高められた空気が第１テント１に供給され、森林浴の状態を作り出し、さらに人体の新陳代謝が促進され健康増進効果を高められる。
【００３４】
また、第１テント１が錐体形状をなし、その頂部に空気吸引部３が形成されるとともに、その錐体形状の第１テント１内に、そのテントの底部から頂部への空気流を生じさせるとともに、その空気流が例えばらせん状に旋回しつつ上昇するように空気吸引部３が第１テント１内の空気を吸引することができる。その場合、例えば、空気吸引部３の吸引側にらせん状のフィン（風向板）を設けたり、吸引口自体の形状をらせん状に形成し、らせん気流１６が生じて、概念的にはこの中に人５が位置するように、吸引作用を働かせることができる。さらに、第１テント１の内部は、底部から上部に向かって水平断面積が小さくなる形態で形成され、空気吸引部３は水平断面積が小さくなる上部に形成されて、第１テント１内の底部から上部に向かう上昇気流が生じるようにされ、その上昇気流に触れるように第１テント１内に人が収容されるようにすることができる。第１テント１の下部に空気取入部１８が形成され、第２テント２１からの空気が第１テント１内の底部から上部へ向かい人体の下肢から全身にあたり、人体の代謝物（老廃物等）の排出（吸引）、気化等が一層促進され、新陳代謝を高める上で有効となる。
【００３５】
第１テント１のシート７は、所定の目の粗さ（細かさ：メッシュ）を有する通気性のある素材からなり、第１テント１内が負圧発生装置２により吸引されるのに伴って、外部の空気が一定の抵抗を受けながら第１テント１内に侵入することで、第１テント１内が過度に負圧になる（真空に近くなる）ことが防止され、第１テント１内にいる人５の呼吸も差し支えない程度にできる。具体的には、例えば第１テント１の外が１気圧であるとすれば、第１テント１内の負圧は、０．９〜０．９９５気圧程度に維持されることが望ましく、そうすれば、第１テント１内の人の呼吸にさほど影響が出ず、かつ人５の体から老廃物を蒸発・吸引その他により排出しやすくする効果を両立することが可能となる。つまり、第１テント１内の気圧が下がった負圧雰囲気にいることで、肺から出てくる炭酸ガス、皮膚等から出てくる炭酸ガス等を排出させやすくなり、そういった老廃物の排出が、新たな酸素等を人体に取り込みやすくなる。
【００３６】
なお、本実施例に次のような変形を加えてもよい。
（１）第１テント１内の負圧調整は、図１に示した吸引モータ１３の回転量を調節する調節操作部１４を適宜操作して、第１テント１内を適度の負圧状態に維持することができ、第１テント１の内部又は外側に気圧計（負圧計）等を設けて、負圧の程度を表示するようにしてもよい。
【００３７】
（２）第２テント２１の裾部３３ａは、図４に示すように、栽培容器２４の出し入れ部３５が設けられた側面において、出し入れ部３５の開閉に関係なく、第２テント２１の下部に底部枠より外方に張り出した形態を呈しているが、出し入れ部３５の下端部に位置する裾部がシートカバー３５ｂと一体的に形成され、それと一体に開閉されるようにしてもよい。
【図面の簡単な説明】
【００３８】
【図１】本発明の一実施例である健康増進装置を概念的に示す断面図。
【図２】図１の第１テント部分の斜視図。
【図３】人の出入り口のカバーを開けた、図２に対応する斜視図。
【図４】図１の第２テント部分における栽培容器の出し入れ部を開けた状態を示す斜視図。
【図５】第２テントの逃がし部の説明図。
【図６】第１テントの骨格部の一例を示す斜視図。
【図７】第２テントの骨格部の一例を示す斜視図。
【符号の説明】
【００３９】
１  第１テント（第１ハウジング）
２  負圧発送装置
３  空気吸引部
４  通気部
５  人
６  骨格部
７  シート
９  出入り口
１５  排出口（排出部）
１８  空気取入部（第１ハウジング空気取入部）
２１  第２テント（第２ハウジング）
２３  空気取入部（第２ハウジング空気取入部）
２７  排出部（第２ハウジング排出部）
２８  ファン装置
３２  骨格部（第２の骨格部）
３３  シート（第２のシート）
３６  逃がし部
【要約】
【課題】利用者に電圧をかけたり、運動を強制したりすることなく、体の新陳代謝を高めて健康増進に寄与し得るとともに、植物の成長を促進する機能を兼ね備える健康増進装置を提供することを課題とする。
【解決手段】人が出入り可能な第１ハウジング１と、その第１ハウジング内に負圧を生じさせる負圧発生装置２と、その第１ハウジング内の上部に形成されて、負圧発生装置の作用により該第１ハウジング内の空気を吸引する空気吸引部３と、第１ハウジングに形成され、負圧発生装置の作動により第１ハウジング内に負圧が作用することに基づき、第１ハウジングの外から内へ一定の空気の通過を許容して負圧状態を所定の範囲に維持する通気部４と、負圧発生装置に設けられ、第１ハウジングの空気吸引部から吸引した空気を排出する排出口１５と、その排出口と連通する空気取入部２３を有し第１ハウジング内を通過した空気が供給される、植物を収容して栽培する第２ハウジング２１とを含む。第１ハウジング内を負圧雰囲気に維持し人体の新陳代謝を促進するとともに、その第１ハウジング内を通過した空気が供給される第２ハウジング内の植物の成長を促進する。
【選択図】図１
【図１】
0003706124.tif 000002
【図２】
0003706124.tif 000003
【図３】
0003706124.tif 000004
【図４】
0003706124.tif 000005
【図５】
0003706124.tif 000006
【図６】
0003706124.tif 000007
【図７】
0003706124.tif 000008